(57)【要約】【課題】一層ディスク、二層ディスクを処理する際に容易な制御で適切に球面収差を補正可能なディスク装置の提供。【解決手段】ディスク装置１の光ピックアップ装置３における半導体レーザ３１とコリメータレンズ３３との間に、ディスク８の二面間寸法Ｄ１に応じて発生する球面収差を補正する球面収差補正手段３７を設けた。球面収差補正手段３７を、厚さ寸法が等しい第１，第４の収差補正部材３７１，３７４と、第１の収差補正部材３７１と厚さ寸法が異なる第２，第３の収差補正部材３７２，３７３と、ディスク装置１の処理種別を判定する処理種別判定手段３７６と、処理種別に基づいて収差補正部材３７１〜３７４のうちのいずれか１個をレーザプリズム間に配置する補正部配置制御手段３７７と、で構成した。【選択図】図１
2009272010.tif 000002
【特許請求の範囲】
【請求項１】
光入射面から記録面までの二面間寸法が異なるディスク状記録媒体を処理する光ピックアップ装置であって、
光源と、
この光源から出射される光を平行光にするコリメータレンズと、
このコリメータレンズから出射される平行光を前記光入射面から入射させて前記記録面上で集光させる対物レンズと、
前記光源と前記コリメータレンズとの間に設けられ、前記二面間寸法に応じて発生する球面収差を補正する球面収差補正手段と、を具備し、
前記球面収差補正手段は、
光を透過し、光の進行方向に略沿った厚さ寸法および屈折率のうち少なくとも一方が異なる複数の収差補正部と、
処理対象のディスク状記録媒体の二面間寸法を検出する二面間寸法検出手段と、
この二面間寸法検出手段で検出された前記二面間寸法に基づいて、少なくとも１の前記収差補正部を前記光源からの光の光路上に配置する補正部配置制御手段と、を備えた
ことを特徴とする光ピックアップ装置。
【請求項２】
請求項１に記載の光ピックアップ装置において、
少なくとも１の前記収差補正部は、他の前記収差補正部よりも透過率が低い減光部である
ことを特徴とする光ピックアップ装置。
【請求項３】
請求項２に記載の光ピックアップ装置において、
１個の記録面を有する第１の前記ディスク状記録媒体における前記記録面上で前記平行光を集光させる際に前記光路上に配置される前記減光部と、
前記光入射面と略平行に２個の記録面が積層された第２の前記ディスク状記録媒体における一方の記録面上で前記平行光を集光させる際に前記光路上に配置される第１の前記他の収差補正部と、
前記第２のディスク状記録媒体における他方の記録面上で前記平行光を集光させる際に前記光路上に配置される第２の前記他の収差補正部と、を備えた
ことを特徴とする光ピックアップ装置。
【請求項４】
請求項１ないし請求項３のいずれかに記載の光ピックアップ装置において、
前記複数の収差補正部を前記ディスク状記録媒体の面方向に略沿って並ぶ状態で保持する補正部保持手段を具備し、
前記補正部配置制御手段は、前記補正部保持手段を前記ディスク状記録媒体の面方向に略沿って往復移動させることで、前記収差補正部を前記光路上に配置する
ことを特徴とする光ピックアップ装置。
【請求項５】
ディスク状記録媒体を回転可能に保持するターンテーブルと、
光入射面から記録面までの二面間寸法が異なる前記ディスク状記録媒体を処理する請求項１ないし請求項４のいずれかに記載の光ピックアップ装置と、
この光ピックアップ装置を制御して、前記ディスク状記録媒体の前記記録面に情報を記録する記録処理および前記記録面に記録された情報を読み取る読取処理のうち少なくとも一方の処理をするディスク処理手段と、
を具備したことを特徴とするディスク装置。
【発明の詳細な説明】
【技術分野】
【０００１】
本発明は、光ピックアップ装置およびディスク装置に関する。
【背景技術】
【０００２】
従来、ディスク状記録媒体を処理する光ピックアップ装置が知られている（例えば、特許文献１および特許文献２参照）
【０００３】
特許文献１に記載のものは、半導体レーザと対物レンズとの間に設けられた開口収差可変素子を備えている。この開口収差可変素子は、光ディスクの基板の厚さに応じてピエゾ素子の長さを変化させて薄ガラス板を変形させることで、収差補正を行う構成が採られている。
【０００４】
特許文献２に記載のものは、光ディスクの反りなどにより発生する球面収差を補正するために、モータによりコリメータレンズを光軸方向に移動させる構成が採られている。
【０００５】
【特許文献１】特開平１０−６４１１５号公報
【特許文献２】特開２００６−１７２６１１号公報
【発明の開示】
【発明が解決しようとする課題】
【０００６】
しかしながら、特許文献１のような構成では、ピエゾ素子の配置位置を高精度に制御しないと適切に収差を補正できないおそれがある。
また、基板の厚さに応じて発生する収差を補正するために、特許文献２のような構成を適用することが考えられるが、コリメータレンズを移動させると平行光と設計光軸とが平行でなくなるおそれがある。このように平行光と設計光軸とが平行でなくなると、結合効率が意図していない値に変化してしまい、ディスク状記録媒体の記録面に光を適切に照射できないおそれがある。
さらに、コリメータレンズを大きく移動させたい場合には、モータの分解能が粗くなり高精度に移動させることができないおそれがある。
【０００７】
本発明は、このような点などに鑑みて、光入射面から記録面までの二面間寸法が異なるディスク状記録媒体を処理する際に、容易な制御で適切に球面収差を補正可能な光ピックアップ装置およびディスク装置を提供することを１つの目的とする。
【課題を解決するための手段】
【０００８】
請求項１に記載の発明は、光入射面から記録面までの二面間寸法が異なるディスク状記録媒体を処理する光ピックアップ装置であって、光源と、この光源から出射される光を平行光にするコリメータレンズと、このコリメータレンズから出射される平行光を前記光入射面から入射させて前記記録面上で集光させる対物レンズと、前記光源と前記コリメータレンズとの間に設けられ、前記二面間寸法に応じて発生する球面収差を補正する球面収差補正手段と、を具備し、前記球面収差補正手段は、光を透過し、光の進行方向に略沿った厚さ寸法および屈折率のうち少なくとも一方が異なる複数の収差補正部と、処理対象のディスク状記録媒体の二面間寸法を検出する二面間寸法検出手段と、この二面間寸法検出手段で検出された前記二面間寸法に基づいて、少なくとも１の前記収差補正部を前記光源からの光の光路上に配置する補正部配置制御手段と、を備えたことを特徴とする光ピックアップ装置である。
【０００９】
請求項５に記載の発明は、ディスク状記録媒体を回転可能に保持するターンテーブルと、光入射面から記録面までの二面間寸法が異なる前記ディスク状記録媒体を処理する請求項１ないし請求項４のいずれかに記載の光ピックアップ装置と、この光ピックアップ装置を制御して、前記ディスク状記録媒体の前記記録面に情報を記録する記録処理および前記記録面に記録された情報を読み取る読取処理のうち少なくとも一方の処理をするディスク処理手段と、を具備したことを特徴とするディスク装置である。
【発明を実施するための最良の形態】
【００１０】
以下、本発明に係る一実施形態を図面に基づいて説明する。
本実施形態では、光入射面から記録面までの二面間寸法が異なるディスク状記録媒体に情報を記録する記録処理および読み出す読取処理としての再生処理をするディスク装置を例示して説明する。なお、例えば携帯型のディスク装置を備えた映像データの録画などの記録や再生のための処理をする再生装置、記録装置あるいはゲーム機など、いずれのディスク装置を対象とすることができる。また、ディスク状記録媒体としては、ＣＤ（Compact Disc）、ＤＶＤ（Digital Versatile Disc）、ＢＤ（Blu-ray Disc：ブルーレイディスク）、ＨＤ−ＤＶＤ（High Definition DVD）などが例示できる。
【００１１】
［ディスク装置の構成］
まず、ディスク装置の構成について説明する。
図１は、本発明の一実施形態に係るディスク装置の概略構成を示す模式図であり１層ディスクの記録処理時の状態を示す。図２は、ディスク装置の概略構成を示す模式図であり１層ディスクの再生処理時の状態を示す。図３は、ディスク装置の概略構成を示す模式図であり２層ディスクの第０の記録面に対する記録処理、再生処理時の状態を示す。図４は、ディスク装置の概略構成を示す模式図であり２層ディスクの第１の記録面に対する記録処理、再生処理時の状態を示す。図５は、補正部保持手段とディスクとの配置関係を示す模式図である。
なお、図１〜図５は、理解を容易にするための図であり、各構成の正確な大きさや配置位置を示すものではない。つまり、図１〜図４では、補正部保持手段３７５が一層ディスク８の面方向と略直交する方向に移動可能に描かれているが、実際には、図５に示すように補正部保持手段３７５は、一層ディスク８の面方向と略平行な方向に移動可能に配置されている。
【００１２】
図１〜図４に示すように、ディスク装置１は、第１のディスク状記録媒体としての一層ディスク８、または、第２のディスク状記録媒体としての二層ディスク９を処理する。
ここで、ディスク装置１の処理対象である一層ディスク８の基板８１上には、記録層８２と、カバー層８３とが積層されている。また、二層ディスク９の基板９１上には、第０の記録層９２と、中間層９３と、第１の記録層９４と、カバー層９５とが積層されている。
そして、一層ディスク８におけるカバー層８３の光入射面８４と記録層８２の記録面８２Ａとの間の第１の二面間寸法Ｄ１は、二層ディスク９におけるカバー層９５の光入射面９６と第１の記録層９４の第１の記録面９４Ａとの間の第２の二面間寸法Ｄ２よりも大きく、光入射面９６と第０の記録層９２の第０の記録面９２Ａとの間の第３の二面間寸法Ｄ３よりも小さく設定されている。
ここで、中間層９３と、第１の記録層９４と、カバー層９５とで構成される層を、中間記録カバー層９９と適宜称す。
【００１３】
そして、ディスク装置１は、ディスク８，９を回転可能に保持するターンテーブル２と、ディスク８，９を処理する光ピックアップ装置３と、この光ピックアップ装置３を制御する制御部４と、を備えている。
光ピックアップ装置３は、図示しないガイド機構によりディスク８，９の面方向に略沿って移動可能に設けられている。この光ピックアップ装置３は、所定のパワーのレーザ光を出射する光源としての半導体レーザ３１を備えている。半導体レーザ３１のレーザ光の出射側には、ダイクロイックプリズム（以下、プリズムと略す）３２が設けられている。このプリズム３２は、レーザ光を反射して一側面３２１から出射させる。さらに、プリズム３２は、ディスク８，９で反射されて一側面３２１から入射されるレーザ光をそのまま透過させて他側面３２２から出射させる。
また、プリズム３２の一側面３２１に対向する位置には、一側面３２１から出射されるレーザ光を平行光にして出射させるコリメータレンズ３３が設けられている。さらに、コリメータレンズ３３の平行光の出射側には、平行光をディスク８，９の記録面８２Ａ，９２Ａ，９４Ａ上で集光させる対物レンズ３４が設けられている。そして、プリズム３２の他側面３２２に対向する位置には、シリンドリカルレンズ３５を介して受光素子３６が設けられている。
【００１４】
また、光ピックアップ装置３には、各二面間寸法Ｄ１〜Ｄ３に応じて発生する球面収差を補正する球面収差補正手段３７が設けられている。この球面収差補正手段３７は、図１〜図５に示すように、収差補正部としての第１〜第４の収差補正部材３７１〜３７４と、補正部保持手段３７５と、二面間寸法検出手段としての処理種別判定手段３７６と、補正部配置制御手段３７７と、を備えている。
【００１５】
収差補正部材３７１〜３７３は、屈折率が同じ透明なガラス板である。第４の収差補正部材３７４は、収差補正部材３７１〜３７３と同じ屈折率を有し、かつ、収差補正部材３７１〜３７３よりも透過率が低い減光フィルタである。この第４の収差補正部材３７４は、第１の収差補正部材３７１と同じガラス板に透過率が低い膜を成膜して構成してもよいし、透過率が低い材料で板状に成形して構成してもよい。
【００１６】
第４の収差補正部材３７４は、一層ディスク８の記録面８２Ａに対する再生処理時に半導体レーザ３１とプリズム３２との間（以下、レーザプリズム間と称す）に配置される。第１の収差補正部材３７１は、一層ディスク８の記録面８２Ａに対する記録処理時にレーザプリズム間に配置される。第２の収差補正部材３７２は、二層ディスク９の第０の記録面９２Ａに対する記録処理および再生処理時にレーザプリズム間に配置される。第３の収差補正部材３７３は、二層ディスク９の第１の記録面９４Ａに対する記録処理および再生処理時にレーザプリズム間に配置される。
【００１７】
ここで、第１の収差補正部材３７１よりも透過率が低い第４の収差補正部材３７４を用いる理由について説明する。
一層ディスク８の再生時には記録面８２Ａに記録できない程度の小さいパワーのレーザ光を対物レンズ３４から出射する必要があるが、半導体レーザ３１の出射パワーを小さくすると、レーザ光のノイズが多くなってしまう。そこで、光路中に第４の収差補正部材３７４を配置して結合効率を下げることで、半導体レーザ３１の出射パワーを小さくすることなくパワーの小さいレーザ光を対物レンズ３４から出射させることができ、レーザ光のノイズを軽減することができる。
また、大きなパワーのレーザ光を必要とする一層ディスク８の記録時には、光路中に第４の収差補正部材３７４よりも透過率が高い第１の収差補正部材３７１を設けることで、結合効率のロスを無くしてパワーが大きいレーザ光を出射させることができる。
なお、二層ディスク９の再生時には、一層ディスク８の再生時よりも大きいパワーのレーザ光を二層ディスク９に照射しても問題がない。このため、第１の収差補正部材３７１と略等しい透過率の第２，第３の収差補正部材３７２，３７３を用いて、二層ディスク９の再生時に一層ディスク８の再生時よりも大きいパワーのレーザ光を二層ディスク９に照射することで、レーザ光のノイズを軽減している。
【００１８】
さらに、収差補正部材３７１〜３７４の厚さ寸法Ｅ１〜Ｅ４は、二面間寸法Ｄ１〜Ｄ３が異なるディスク８，９に対する球面収差を補正するために、各パラメータを以下のようにした場合、以下の式（１）の関係を満たすように設定されている。
ｎｏ  ：カバー層８３、カバー層９５、中間記録カバー層９９の屈折率
ＮＡｏ：対物レンズ３４の開口数
Δｄｏ：カバー層８３に対するカバー層９５、中間記録カバー層９９の厚さ寸法差（二面間寸法Ｄ１に対する二面間寸法Ｄ２，Ｄ３の厚さ寸法差）
ｎｃ  ：第１〜第４の収差補正部材３７１〜３７４の屈折率
ＮＡｃ：コリメータレンズ３３の開口数
Δｄｃ：収差補正部材３７１，３７４に対する収差補正部材３７２，３７３の厚さ寸法差
【００１９】
【数１】
2009272010.tif 000003
【００２０】
そして、上記式（１）に基づいて、一層ディスク８の記録時、再生時に利用される第１，第４の収差補正部材３７１，３７４の厚さ寸法Ｅ１，Ｅ４は、二層ディスク９の第０の記録面９２Ａに対する記録再生時に利用される第２の収差補正部材３７２の厚さ寸法Ｅ２よりも大きく、第１の記録面９４Ａに対する記録再生時に利用される第３の収差補正部材３７３の厚さ寸法Ｅ３よりも小さく設定されている。
【００２１】
補正部保持手段３７５は、略長方形板状に形成されている。この補正部保持手段３７５の内部には、第１の収差補正部材３７１、第４の収差補正部材３７４、第２の収差補正部材３７２、第３の収差補正部材３７３がこの順序で長手方向に並んで配置されている。また、補正部保持手段３７５における厚さ方向の両面側には、収差補正部材３７１〜３７４を介してレーザ光を通過させるための露出孔３７８が設けられている。そして、補正部保持手段３７５は、図５に示すように、図示しないガイド部により、収差補正部材３７１〜３７４をディスク８，９の面方向に略沿って並ぶ状態で保持し、かつ、矢印Ｙ１で示すようにディスク８，９の面方向に略沿って往復移動可能に設けられている。
【００２２】
処理種別判定手段３７６は、各種プログラムにより構成され、制御部４に設けられている。この処理種別判定手段３７６は、ディスク装置１の処理種別を判定する。具体的には、一層ディスク８の記録処理、一層ディスク８の再生処理、二層ディスク９の第０の記録面９２Ａの記録再生処理、第１の記録面９４Ａに対する記録再生処理のいずれかである旨を判定する。つまり、処理種別判定手段３７６は、少なくとも処理対象のディスク８，９の二面間寸法Ｄ１〜Ｄ３を検出する。
ここで、処理種別の判定方法としては、以下の方法が例示できる。すなわち、処理対象が一層ディスク８または二層ディスク９であるかを判定する方法としては、受光素子３６で受光されたレーザ光に基づくフォーカスエラー信号、ディスク８，９の反射率を利用する方法が例示できる。また、処理内容が再生または記録である旨、二層ディスク９を処理する際の処理対象面が第０の記録面９２Ａまたは第１の記録面９４Ａである旨を判定する方法としては、利用者による入力操作に基づく方法が例示できる。
【００２３】
補正部配置制御手段３７７は、補正部保持手段３７５の下面に設けられたラック３７９と、このラック３７９に係合するギア３８０を回転させるモータ３８１と、このモータ３８１を駆動させるモータ駆動手段３８２と、を備えている。
モータ駆動手段３８２は、各種プログラムにより構成され、制御部４に設けられている。このモータ駆動手段３８２は、処理種別判定手段３７６での判定結果に基づきモータ３８１を駆動させ、補正部保持手段３７５をディスク８，９の面方向に略沿って往復移動させることで収差補正部材３７１〜３７４のうちのいずれか１個をレーザプリズム間に配置する。
【００２４】
制御部４は、各種プログラムにより構成され、処理種別判定手段３７６と、モータ駆動手段３８２と、ディスク処理手段４１と、を備えている。また、制御部４には、画像を表示したり音声を出力したりする出力手段５が接続される。
ディスク処理手段４１は、ターンテーブル２、半導体レーザ３１、ガイド機構などを制御して、処理種別判定手段３７６での判定結果に基づく処理を実施して、記録面８２Ａ，９２Ａ，９４Ａに記録された情報に基づく画像や音声を出力手段５で出力させたり、記録面８２Ａ，９２Ａ，９４Ａに画像や音声の情報を記録する。
【００２５】
［ディスク装置の動作］
次に、ディスク装置１の動作について説明する。
まず、ディスク装置１の制御部４は、処理種別を判定する。そして、制御部４は、この判定結果に基づき補正部保持手段３７５を移動させて、収差補正部材３７１〜３７４のうちのいずれか１個をレーザプリズム間に配置する。この後、制御部４は、半導体レーザ３１から処理種別の判定結果に基づくパワーのレーザ光を出射させることで、所定の処理を実施する。
【００２６】
〔一層ディスクの記録処理をする場合〕
制御部４は、図１に示すように、レーザプリズム間に第１の収差補正部材３７１を配置して、半導体レーザ３１からパワーがＰ１のレーザ光を出射させる。このパワーがＰ１のレーザ光は、第１の収差補正部材３７１によりパワーが落とされることなく、かつ、第１の二面間寸法Ｄ１による球面収差が補正されて、記録面８２Ａに照射される。そして、このレーザ光により、記録面８２Ａに所定の画像や音声の情報が記録される。
【００２７】
〔一層ディスクの再生処理をする場合〕
制御部４は、図２に示すように、レーザプリズム間に第４の収差補正部材３７４を配置して、半導体レーザ３１の元パワーがノイズを十分に低く抑えられるパワーＰ２のレーザ光を出射させる。このパワーがＰ２のレーザ光は、第４の収差補正部材３７４によりパワーが落とされて、かつ、第１の二面間寸法Ｄ１による球面収差が補正されて、記録面８２Ａに照射された後に反射されて受光素子３６で受光される。そして、制御部４は、受光素子３６で受光された反射光に基づく画像や音声を出力手段５で出力させる。
【００２８】
〔二層ディスクの第０の記録面の記録処理、再生処理をする場合〕
制御部４は、図３に示すように、レーザプリズム間に第２の収差補正部材３７２を配置する。そして、二層ディスク９の第０の記録面９２Ａの記録処理をする場合、パワーが例えばＰ１のレーザ光を出射させ、第０の記録面９２Ａの再生処理をする場合、パワーがＰ１よりも小さいＰ３のレーザ光を出射させる。このパワーがＰ１あるいはＰ３のレーザ光は、第２の収差補正部材３７２によりパワーが落とされることなく、かつ、第３の二面間寸法Ｄ３による球面収差が補正されて、第０の記録面９２Ａに照射される。そして、このパワーがＰ１のレーザ光により第０の記録面９２Ａに情報が記録されたり、パワーがＰ３のレーザ光の反射光に基づく画像などが出力手段５で出力される。
【００２９】
〔二層ディスクの第１の記録面の記録処理、再生処理をする場合〕
制御部４は、図４に示すように、レーザプリズム間に第３の収差補正部材３７３を配置して、第１の記録面９４Ａの記録処理をする場合、パワーがＰ１のレーザ光を出射させ、再生処理をする場合、パワーがＰ１よりも小さいＰ３のレーザ光を出射させる。このレーザ光は、第３の収差補正部材３７３によりパワーが落とされることなく、かつ、第２の二面間寸法Ｄ２による球面収差が補正されて、第１の記録面９４Ａに照射され、パワーがＰ１のレーザ光により第１の記録面９４Ａに情報が記録されたり、パワーがＰ３のレーザ光の反射光に基づく画像などが出力手段５で出力される。
【００３０】
［ディスク装置の作用効果］
上述したように、上記実施形態では、以下のような効果を奏することができる。
【００３１】
（１）ディスク装置１の光ピックアップ装置３における半導体レーザ３１とコリメータレンズ３３との間に、ディスク８，９の二面間寸法Ｄ１〜Ｄ３に応じて発生する球面収差を補正する球面収差補正手段３７を設けている。そして、この球面収差補正手段３７を、厚さ寸法が等しい第１，第４の収差補正部材３７１，３７４と、第１の収差補正部材３７１と厚さ寸法が異なる第２，第３の収差補正部材３７２，３７３と、処理対象のディスク８，９の二面間寸法Ｄ１〜Ｄ３の検出処理としてディスク装置１の処理種別を判定する処理種別判定手段３７６と、処理種別に基づいて収差補正部材３７１〜３７４のうちのいずれか１個をレーザプリズム間に配置する補正部配置制御手段３７７と、で構成している。
このため、収差補正部材３７１〜３７４のうちのいずれか１個をレーザプリズム間に配置するだけで球面収差を補正できるので収差補正部材３７１〜３７４の配置位置や移動を高精度に制御する必要がない。また、コリメータレンズ３３を移動させないので、平行光と設計光軸との平行を維持しつつ、球面収差を補正することができる。よって、容易な制御で適切に球面収差を補正可能なディスク装置１を提供できる。
【００３２】
（２）第１の収差補正部材３７１よりも透過率が低い第４の収差補正部材３７４を設けている。
このため、一層ディスク８の再生処理時に第４の収差補正部材３７４を配置することで、記録処理時に用いるパワーが大きいレーザ光を対物レンズ３４から出射させることができる。したがって、レーザ光のノイズを低減でき、再生処理を適切に実施できる。
【００３３】
（３）球面収差補正手段３７に、一層ディスク８の再生処理時に用いる第４の収差補正部材３７４と、一層ディスク８の記録処理時に用いる第１の収差補正部材３７１と、二層ディスク９の第０の記録面９２Ａの記録再生処理時に用いる第２の収差補正部材３７２と、二層ディスク９の第１の記録面９４Ａの記録再生処理時に用いる第３の収差補正部材３７３と、を設けている。
このため、一層ディスク８および二層ディスク９の処理時に発生する球面収差を補正でき、各ディスク８，９の記録処理および再生処理を適切に実施できる。
【００３４】
（４）収差補正部材３７１〜３７４をディスク８，９の面方向に略沿って並べた状態で保持する補正部保持手段３７５を設け、この補正部保持手段３７５をディスク８，９の面方向に略沿って移動させる構成としている。
ここで、補正部保持手段３７５で収差補正部材３７１〜３７４をディスク８，９の面方向と略直交する方向に並べて保持する場合、補正部保持手段３７５におけるディスク８，９の面方向に略直交する方向の寸法（以下、保持手段高さ寸法と称す）を第１の収差補正部材３７１の幅寸法を４倍した値よりも大きくする必要があり、光ピックアップ装置３の薄型化を図ることができないおそれがある。
これに対して、本実施形態では、補正部保持手段３７５の保持手段高さ寸法を第１の収差補正部材３７１の幅寸法よりも若干大きくするだけでよく、光ピックアップ装置３の薄型化を容易に図ることができる。
【００３５】
（５）所定の屈折率のガラス板の厚さ寸法を調整することで、収差補正部材３７１〜３７３を製造している。
このため、１個のガラス板を加工することで収差補正部材３７１〜３７３を製造でき、屈折率が異なる材料で収差補正部材３７１〜３７３を製造する構成と比べて、容易に製造することができる。また、ガラス板を用いているため、低コスト化を容易に図ることができる。
【００３６】
［他の実施形態］
なお、本発明は前述の一実施形態に限定されるものではなく、本発明の目的を達成できる範囲での変形、改良等は本発明に含まれるものである。
【００３７】
すなわち、収差補正部材３７１〜３７３として、上記式（１）に基づいて、屈折率が異なる材料を同じ厚さ寸法に加工して製造してもよいし、屈折率が異なる材料を異なる厚さ寸法に加工して製造してもよい。
また、収差補正部材３７１〜３７４としては、ガラス板に限らず樹脂板を用いてもよい。
さらに、第４の収差補正部材３７４を設けずに、一層ディスク８および二層ディスク９の記録処理のみが可能な構成としてもよい。また、第１の収差補正部材３７１を設けずに、一層ディスク８および二層ディスク９の再生処理のみが可能な構成としてもよい。
また、三層以上の記録面を有する多層ディスクに対応する収差補正部を設けてもよい。
さらに、収差補正部材３７１〜３７４をプリズム３２とコリメータレンズ３３との間に配置可能に設けてもよい。
また、補正部保持手段３７５を往復移動させる構成としては、図５における左側面に当接する偏心カムを設け、右側面を左側面側に付勢する付勢部材を設け、偏心カムを回転させることで補正部保持手段３７５を往復移動させる構成を用いてもよい。
さらに、ディスク８，９のカバー層８３，９５や中間層９３の面内変動による球面収差を抑えるためにコリメータレンズ３３を微少に移動させることを行ってもよい。
【００３８】
そして、例えば、図６に示すように、円板状の補正部保持手段６０１に収差補正部材３７１〜３７４を円形状に配置して、矢印Ｙ２で示すように補正部保持手段６０１を回転させることで、収差補正部材３７１〜３７４のうちの１個をレーザプリズム間に配置する構成としてもよい。ここで、補正部保持手段６０１を回転させる具体的な構造としては、例えば特開２００６−４０４３２号公報、特開２００５−１７４４５５号公報、特開平９−１７１６２６号公報に記載されたものが例示できる。
また、図７に示すように、収差補正部材３７１〜３７４をそれぞれ保持する４個の補正部保持手段６０２〜６０５を設け、この補正部保持手段６０２〜６０５を矢印Ｙ３で示すように往復移動させることで、収差補正部材３７１〜３７４のうちの１個をレーザプリズム間に配置する構成としてもよい。また、収差補正部材３７１〜３７４と特性が異なる収差補正部としての収差補正部材６５１〜６５４を補正部保持手段６０２〜６０５で保持させ、収差補正部材６５１〜６５４のうちの１〜４個をレーザプリズム間に配置することで、ディスク８，９あるいは三層以上の記録面を有する多層ディスクに対応させる構成としてもよい。
さらに、図８に示すように、ガラスで形成された１個の収差補正ブロック部材６６０の一面を段差状に加工して、第２の収差補正部材３７２と同じ厚さ寸法（Ｅ２）の第２の収差補正部６６２と、第１の収差補正部材３７１と同じ厚さ寸法（Ｅ１）の第１の収差補正部６６１と、第３の収差補正部材３７３と同じ厚さ寸法（Ｅ３）の第３の収差補正部６６３と、を有する構成とする。そして、矢印Ｙ４で示すように収差補正ブロック部材６６０を往復移動させて、収差補正部６６１〜６６３のうちのいずれか１箇所をレーザプリズム間に配置する構成としてもよい。
【００３９】
その他、本発明の実施の際の具体的な構造および手順は、本発明の目的を達成できる範囲で他の構造などに適宜変更できる。
【００４０】
［実施形態の作用効果］
上述したように、光ピックアップ装置３における半導体レーザ３１とコリメータレンズ３３との間に、厚さ寸法が等しい第１，第４の収差補正部材３７１，３７４と、第１の収差補正部材３７１と厚さ寸法が異なる第２，第３の収差補正部材３７２，３７３と、ディスク装置１の処理種別に基づいて収差補正部材３７１〜３７４のうちのいずれか１個をレーザプリズム間に配置する補正部配置制御手段３７７と、で構成される球面収差補正手段３７を設けている。
このため、収差補正部材３７１〜３７４のうちのいずれか１個をレーザプリズム間に配置するだけで球面収差を補正できるので、収差補正部材３７１〜３７４の配置位置や移動を高精度に制御する必要がない。また、コリメータレンズ３３を移動させないので、平行光と設計光軸との平行を維持しつつ、球面収差を補正することができる。よって、容易な制御で適切に球面収差を補正可能なディスク装置１を提供できる。
【図面の簡単な説明】
【００４１】
【図１】本発明の一実施形態に係るディスク装置の概略構成を示す模式図であり１層ディスクの記録処理時の状態を示す。
【図２】前記一実施形態におけるディスク装置の概略構成を示す模式図であり１層ディスクの再生処理時の状態を示す。
【図３】前記一実施形態におけるディスク装置の概略構成を示す模式図であり２層ディスクの第０の記録面に対する記録処理、再生処理時の状態を示す。
【図４】前記一実施形態におけるディスク装置の概略構成を示す模式図であり２層ディスクの第１の記録面に対する記録処理、再生処理時の状態を示す。
【図５】前記一実施形態における補正部保持手段とディスクとの配置関係を示す模式図である。
【図６】本発明の変形例に係る補正部保持手段の概略構成を示す模式図である。
【図７】本発明の他の変形例に係る補正部保持手段の概略構成を示す模式図である。
【図８】本発明のさらに他の変形例に係る収差補正ブロック部材の概略構成を示す模式図である。
【符号の説明】
【００４２】
１…ディスク装置
２…ターンテーブル
３…光ピックアップ装置
８…第１のディスク状記録媒体としての一層ディスク
９…第２のディスク状記録媒体としての二層ディスク
３１…光源としての半導体レーザ
３３…コリメータレンズ
３４…対物レンズ
３７…球面収差補正手段
４１…ディスク処理手段
８４，９６…光入射面
８２Ａ，９２Ａ，９４Ａ…記録面
３７１〜３７４，６５１〜６５４…収差補正部としての収差補正部材
３７５，６０１〜６０５…補正部保持手段
３７６…二面間寸法検出手段としての処理種別判定手段
３７７…補正部配置制御手段
６６１〜６６３…収差補正部
Ｄ１，Ｄ２，Ｄ３…二面間寸法
【図１】
2009272010.tif 000004
【図２】
2009272010.tif 000005
【図３】
2009272010.tif 000006
【図４】
2009272010.tif 000007
【図５】
2009272010.tif 000008
【図６】
2009272010.tif 000009
【図７】
2009272010.tif 000010
【図８】
2009272010.tif 000011